(57)【要約】【課題】使用者がタオルを掛ける作業がし易い壁付けタオル掛けを提供する。【解決手段】壁面の横方向に離れた二箇所から突出する二つの突出部２と、二つの突出部２の間に架設され壁面から離れて配置される架設部３と、を備え、架設部３は少なくとも一つの突出部２が取り付けられる端部から自由端となるように壁面から離れて配置される延設部４を備える。延設部４がタオルが掛けられる被掛け部となる。【選択図】図１
2012170623.tif 000002
【特許請求の範囲】
【請求項１】
壁面の横方向に離れた二箇所から突出する二つの突出部と、前記二つの突出部の間に架設され前記壁面から離れて配置される架設部と、を備え、前記架設部は少なくとも一つの前記突出部が取り付けられる端部から自由端となるように前記壁面から離れて配置される延設部を備え、前記延設部がタオルが掛けられる被掛け部となることを特徴とする壁付けタオル掛け。
【請求項２】
前記延設部が突没自在となるよう前記架設部内に収納されることを特徴とする請求項１記載の壁付けタオル掛け。
【発明の詳細な説明】
【技術分野】
【０００１】
本発明は、壁付けタオル掛けに関するものである。
【背景技術】
【０００２】
従来より、浴室や洗面室等の壁面にタオル掛けが設けられている（例えば特許文献１参照）。図５に示すように、従来の壁付けタオル掛け９は、壁面５の横方向に離れた二箇所から突出する二つの突出部２と、二つの突出部２の間に架設され壁面５から離れて配置される架設部３と、で構成される。そして、架設部３が、タオルが掛けられる被掛け部となり、架設部３と両側の突出部２と壁面５とで囲まれる閉じられた部分がタオル挿通口９０となる。
【先行技術文献】
【特許文献】
【０００３】
【特許文献１】特開２００６−１０２３７３号公報
【発明の概要】
【発明が解決しようとする課題】
【０００４】
使用者は、タオルを中間部で折り返し、この折り返した部分をつまんで垂れ下がった端部の一方をタオル挿通口９０に挿通させて被掛け部にタオルを掛けるのであるが、直につまんでいる部分をタオル挿通口９０に挿通させるのではないため、作業がし難いものであった。
【０００５】
本発明は上記問題点に鑑みて発明したものであって、使用者がタオルを掛ける作業がし易い壁付けタオル掛けを提供することを課題とするものである。
【課題を解決するための手段】
【０００６】
上記課題を解決するために本発明は、壁面の横方向に離れた二箇所から突出する二つの突出部と、前記二つの突出部の間に架設され前記壁面から離れて配置される架設部と、を備え、前記架設部は少なくとも一つの前記突出部が取り付けられる端部から自由端となるように前記壁面から離れて配置される延設部を備え、前記延設部がタオルが掛けられる被掛け部となることに特徴を有する。
【０００７】
また、前記延設部が突没自在となるよう前記架設部内に収納されることが好ましい。
【発明の効果】
【０００８】
本発明にあっては、使用者がタオルを掛ける作業がし易いものである。
【図面の簡単な説明】
【０００９】
【図１】本発明の壁面に取り付けられた壁付けタオル掛けの一実施形態の斜視図である。
【図２】同上において壁面との関係を説明する図で、（ａ）は斜視図であり、（ｂ）は平面図である。
【図３】同上の他の実施形態の斜視図である。
【図４】同上の更に他の実施形態の斜視図である。
【図５】従来の壁付けタオル掛けの例の斜視図である。
【発明を実施するための形態】
【００１０】
以下、本発明を添付図面に示す実施形態に基づいて説明する。本実施形態の壁付けタオル掛けは、主に浴室や洗面室等の壁面に取り付けられるが、壁面５は前記に限定されない。
【００１１】
本実施形態の壁付けタオル掛け１は、図１に示すように、壁面５から突出する二つの突出部２と、前記二つの突出部２の間に架設される架設部３と、架設部３から延設される延設部４と、を備えている。
【００１２】
突出部２は、壁面５の横方向に離れた二箇所からそれぞれ突出するものである。なお、突出部２が突出する壁面５の二箇所は、水平方向に離れているのが好ましいが、厳密に水平方向ではなく１０度程度の範囲で傾いていてもよい。突出部２の壁面５への取り付け方法は、例えば図示しないが、突出部２の基端部にフランジが形成されていると共に、フランジに固着具挿通孔が穿設されていて、ビス等の固着具がこの固着具挿通孔を介して壁面５に固着される方法が挙げられるが、特に限定されない。本実施形態では二つの突出部２の先端部間に架設部３が架設される。
【００１３】
架設部３は、本実施形態では丸棒状のものであるが、角棒やその他断面の棒状のものでもよい。架設部３は、壁面５から離れて配置され、長手方向（すなわち横方向）の両端部に突出部２の先端部が取り付けられるもので、壁面５からの距離は５〜１５ｃｍであるが、特に限定されない。架設部３の壁面５への取り付け方法はビス留めや溶接等特に限定されず、また、架設部３と突出部２とが一体に形成されていると強度が高くて好ましい。また、架設部３および突出部２の平面視形状は、本実施形態では略コ字状であるが、略Ｕ字状でもよく、特に限定されない。また本実施形態では、二つの突出部２の先端部間に架設部３が架設されているが、二つの突出部２の中間部間に架設部３が架設されていてもよい。
【００１４】
延設部４は、架設部３において少なくとも一つの突出部２が取り付けられた部分から、他方の突出部２と反対の方向に向けて自由端となるように延設されるもので、架設部３と同様に壁面５から離れて配置される。そして、この延設部４がタオルが掛けられる被掛け部となる。延設部４の壁面５からの距離は５〜１５ｃｍであるが、特に限定されないものであり、また、延設部４の長さは、一般的なタオルの幅である２０〜４０ｃｍとするのが好ましいが、特に限定されない。なお、延設部４は架設部３と一体に形成されていると強度が高くて好ましいが、別体の延設部４と架設部３とがビス留めや溶接等により接続されてもよい。また、延設部４と架設部３と突出部２の全部が一体に形成されていてもよく、強度が非常に高くて好ましい。
【００１５】
上記壁付けタオル掛け１にタオルを掛けるには、使用者は、タオルを中間部で折り返してこの部分をつまみ、延設部４の自由端をこの折り返した部分の内部に挿通させるようにタオルを延設部４の基端側にスライドさせていく。このようにすることで、使用者は、タオルを折り返して直につまんでいる部分を延設部４の自由端に挿通させることができて、タオルを掛ける作業がし易いものである。つまり、従来の壁付けタオル掛け１にあっては、使用者は折り返した部分をつまんで垂れ下がった端部の一方をタオル挿通口に挿通させる必要があり、試行錯誤で挿通させたり意識を集中して挿通させたりし面倒であったのが、容易となるものである。
【００１６】
また、従来例と同様に架設部３が被掛け部として利用されてもよいものである。
【００１７】
また、図２に示すように、延設部４の自由端に近接して（例えば延設部４の自由端から延設部４自身の長さよりも短い範囲に）、壁付けタオル掛け１が取り付けられる壁面５に垂直な隣接する壁面５１が位置するようにしてもよい。これにより、使用者の身体等に延設部４の自由端側に位置し難くなり、使用者の身体等に延設部４の自由端が当たったりし難くなる。
【００１８】
また、図３に示される他の実施形態の壁付けタオル掛け１は、架設部３の両端部から延設部４が延設されるもので、各延設部４が被掛け部となる。これにより、壁付けタオル掛け１に掛けられるタオルの容量（枚数）が増加する。
【００１９】
また、図４に示される更に他の実施形態の壁付けタオル掛け１は、延設部４が突没自在に架設部３内に収納可能となっている。これにより、タオルが掛けられない時に延設部４が架設部３内に収納されて、見栄えが向上すると共に、使用者の身体等に延設部４の自由端が当たったりすることがないものである。
【符号の説明】
【００２０】
１  壁付けタオル掛け
２  突出部
３  架設部
４  延設部
５  壁面
【図１】
2012170623.tif 000003
【図２】
2012170623.tif 000004
【図３】
2012170623.tif 000005
【図４】
2012170623.tif 000006
【図５】
2012170623.tif 000007